【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
メディア・インタラクションを提供するための方法であって、
電子的なプレゼンテーションにメディア・オブジェクトを挿入するステップと、
前記電子的なプレゼンテーション内で前記メディア・オブジェクトを選択するステップと、
前記メディア・オブジェクト上に少なくとも１つの第１のユーザ・インターフェース・コントロールを表示するステップと、
前記電子的なプレゼンテーションのコマンド領域内に少なくとも１つの第２のユーザ・インターフェース・コントロールを表示するステップと、
少なくとも１つの前記第１のユーザ・インターフェース・コントロールおよび少なくとも１つの前記第２のユーザ・インターフェース・コントロールのうちの少なくとも１つが受け取ったコマンドに従って前記メディア・オブジェクトを修正するステップであって、
前記メディア・オブジェクトがビデオ・クリップを含むかどうか判定するステップと、
前記メディア・オブジェクトが前記ビデオ・クリップを含むと判定することに応答して、前記ビデオ・クリップの少なくとも１つのフレームの選択を受信するステップと、
前記選択された前記ビデオ・クリップの少なくとも１つのフレームを画像に変換するステップと、
前記変換された前記ビデオ・クリップの少なくとも１つのフレームを、ポスター・フレームとして、前記ビデオ・クリップを含む前記電子的なプレゼンテーション内のスライド上に表示するステップとを含む、
前記メディア・オブジェクトを修正するステップと、
前記修正されたメディア・オブジェクトを含む前記電子的なプレゼンテーションを表示するステップと
を含む方法。
【請求項２】
前記メディア・オブジェクトが、画像、オーディオ・クリップ、及び、前記ビデオ・クリップのうちの少なくとも１つのメディアのタイプを含む、請求項１に記載の方法。
【請求項３】
前記少なくとも１つの第１のユーザ・インターフェース・コントロールが、前記メディアのタイプに関連したユーザ・インターフェース・コントロールを含む、請求項２に記載の方法。
【請求項４】
前記少なくとも１つの第２のユーザ・インターフェース・コントロールが、前記メディアのタイプに関連したユーザ・インターフェース・コントロールを含む、請求項２に記載の方法。
【請求項５】
前記電子的なプレゼンテーションを表示している間に、少なくとも１つの第３のユーザ・インターフェース・コントロールを前記メディア・オブジェクト上に表示するステップをさらに含む、請求項１に記載の方法。
【請求項６】
前記メディア・オブジェクトを修正するステップが、
前記少なくとも１つの第１のユーザ・インターフェース・コントロールから、前記メディア・オブジェクトの一部分の選択を含む選択コマンドを受け取るステップと、
前記少なくとも１つの第２のユーザ・インターフェース・コントロールから、前記メディア・オブジェクトの前記選択された一部分になされる修正を含む修正コマンドを受け取るステップと、
前記受け取った修正コマンドに従って、前記メディア・オブジェクトの前記選択された部分を修正するステップと
を含む、請求項１に記載の方法。
【請求項７】
前記電子的なプレゼンテーションを表示している間に、前記メディア・オブジェクトの少なくとも１つの選択されていない部分を隠すステップをさらに含む、請求項６に記載の方法。
【請求項８】
実行時に、メディア・タイムライン・インタラクションを提供するための方法を実行する１組の命令を記憶するコンピュータ読取り可能な記録媒体であって、前記１組の命令によって実行される前記方法が、
メディア・オブジェクト上に第１のユーザ・インターフェース・コントロールを表示するステップであって、前記第１のユーザ・インターフェース・コントロールが、前記メディア・オブジェクトの少なくとも１つの時刻位置の選択を受け取るように動作し、前記第１のユーザ・インターフェース・コントロールが、前記メディア・オブジェクトの少なくとも１つの時刻位置の選択を受け取るように動作することが、
ビデオ・クリップを含む、前記メディア・オブジェクトの少なくとも１つのフレームの選択を許容するように動作するタイムライン・ユーザ・インターフェース・コントロールを提供することを含む、ステップと、
前記メディア・オブジェクトのタイプに関連した第２のユーザ・インターフェース・コントロールを表示するステップであって、前記第２のユーザ・インターフェース・コントロールが、前記メディア・オブジェクトの前記選択された部分に実行されるコマンドを受け取るように動作するステップと、
前記第２のユーザ・インターフェース・コントロールが受け取る前記コマンドに従って前記メディア・オブジェクトを修正するステップであって、前記メディア・オブジェクトを修正することは、
前記選択された前記ビデオ・クリップの少なくとも１つのフレームを画像に変換するステップと、
前記変換された前記ビデオ・クリップの少なくとも１つのフレームを、ポスター・フレームとして、前記ビデオ・クリップを含む前記電子的なプレゼンテーション内のスライド上に表示するステップとを含む、ステップと
を含む、コンピュータ読取り可能な記録媒体。
【請求項９】
前記メディア・オブジェクトが電子的なプレゼンテーションに埋め込まれる請求項８に記載のコンピュータ読取り可能な記録媒体。
【請求項１０】
前記電子的なプレゼンテーションを編集モードからスライドショー・モードに切り替えるステップと、
前記修正されたメディア・オブジェクトを含む前記スライドを表示するステップと、
前記修正されたメディア・オブジェクトの表示をコントロールするように動作する第３のユーザ・インターフェース・コントロールを前記メディア・オブジェクト上に表示するステップと
を含む、請求項９に記載のコンピュータ読取り可能な記録媒体。
【請求項１１】
前記電子的なプレゼンテーション内で、前記ビデオ・クリップを再生するステップと、
前記電子的なプレゼンテーション内で、前記ビデオ・クリップの再生を停止するコマンドを受信するステップと、
前記変換された前記ビデオ・クリップの少なくとも１つのフレームを、前記ポスター・フレームとして、スライド上に再表示するステップと
を含む、請求項８に記載のコンピュータ読取り可能な記録媒体。
【請求項１２】
前記メディア・オブジェクトを修正するステップが、以下のこと、すなわち前記メディア・オブジェクトの前記選択された部分を取り除くこと、前記メディア・オブジェクトの選択されていない部分を取り除くこと、前記メディア・オブジェクトをサイズ変更すること、前記メディア・オブジェクトにブックマークを追加すること、前記メディア・オブジェクトの再生ボリュームを修正すること、および前記メディア・オブジェクトにオーバレイを追加することのうちの少なくとも１つを含むことを特徴とする、請求項８に記載のコンピュータ読取り可能な記録媒体。
【請求項１３】
前記メディア・オブジェクトにオーバレイを追加するステップが、前記メディア・オブジェクトへのオーバレイとして、少なくとも１つのテキスト要素を追加するステップを含む、請求項１２に記載のコンピュータ読取り可能な記録媒体。
【請求項１４】
前記メディア・オブジェクトが選択されていないとき、前記第１のユーザ・インターフェース・コントロールおよび第２のユーザ・インターフェース・コントロールを隠すステップをさらに含む、請求項８に記載のコンピュータ読取り可能な記録媒体。
【請求項１５】
前記メディア・オブジェクトを修正するステップに関連したフィードバック・テキストを表示するステップをさらに含む、請求項８に記載のコンピュータ読取り可能な記録媒体。
【請求項１６】
互いに異なるメディア・タイプを含む第２のメディア・オブジェクトの選択を受け取るステップと、
前記第２のユーザ・インターフェース・コントロールを更新して、前記第２のメディア・オブジェクトの前記互いに異なるメディア・タイプに関連した少なくとも１つのコマンドを表示するステップと
をさらに含む、請求項８に記載のコンピュータ読取り可能な記録媒体。
【請求項１７】
メディア・オブジェクトを編集するためのシステムであって、
記憶装置と、
前記記憶装置に結合された処理ユニットであって、
プレゼンテーション・アプリケーション内の前記メディア・オブジェクトを選択し、
オブジェクト・インターフェースを前記メディア・オブジェクト上に表示し、
前記オブジェクト・インターフェースから前記メディア・オブジェクトの少なくとも一部分の選択を受け取り、
前記メディア・オブジェクトのタイプに関連したリボン・インターフェースを表示し、
前記リボン・インターフェースから編集コマンドを受け取り、前記リボン・インターフェースが少なくとも１つの編集オプションを表示するように動作し、前記少なくとも１つの編集オプションが、以下のこと、すなわち前記メディア・オブジェクトの前記選択された部分を取り除くこと、前記メディア・オブジェクトの選択されていない部分を取り除くこと、前記メディア・オブジェクトをサイズ変更すること、前記メディア・オブジェクトにブックマークを追加すること、前記メディア・オブジェクトの再生ボリュームを修正すること、および前記メディア・オブジェクトにオーバレイを追加することのうちの少なくとも１つを含み、
前記受け取った編集コマンドに従って前記メディア・オブジェクトを修正し、前記メディア・オブジェクトを修正することは、
前記メディア・オブジェクトがビデオ・クリップを含むかどうか判定し、
前記メディア・オブジェクトが前記ビデオ・クリップを含むと判定することに応答して、前記選択された前記ビデオ・クリップの少なくとも１つの部分を画像に変換し、前記選択された前記ビデオ・クリップの少なくとも１つの部分は、前記ビデオ・クリップの少なくとも１つのフレームを含み、
前記プレゼンテーション・アプリケーションをスライドショー・モードに切り替え、
前記修正されたメディア・オブジェクトを表示し、前記修正されたメディア・オプションを表示することは、前記変換された前記ビデオ・クリップの少なくとも１つのフレームを、ポスター・フレームとして、前記電子的なプレゼンテーション内のスライド上に表示することを含むよう動作する処理ユニットと
を備える、システム。